(57)【要約】【課題】  カメラから外気への熱抵抗を小さくして、十分な放熱効果を得ることを可能とした監視装置を提供すること。【解決手段】  撮影装置と、該撮影装置を収納するハウジングとを有する監視装置であって、該ハウジングには内部と外部を連通する開口部Ａが設けられ、該撮影装置の外装部を利用して、該開口部Ａを塞ぐことを特徴とする構成とした。【選択図】  図1
2018078458.tif 000002
【特許請求の範囲】
【請求項１】
撮影装置と、該撮影装置を収納するハウジングとを有する監視装置であって、該ハウジングには内部と外部を連通する開口部Ａが設けられ、該撮影装置の外装部を利用して、該開口部Ａを塞ぐことを特徴とする監視装置。
【請求項２】
前記開口部近傍の前記撮影装置と前記ハウジングの接触面には防水部材が設けられていることを特徴とする請求項１に記載の監視装置。
【請求項３】
前記撮影装置に一体化又は締結部材で連結されたヒートシンクが設けられ、該ヒートシンクは前記開口部から外気へ露出していることを特徴とする請求項１又は２に記載の監視装置。
【請求項４】
前記撮影装置の外装部は、底面部であることを特徴とする請求項１乃至３のいずれか１項に記載の監視装置。 
【請求項５】
前記開口部近傍に送風手段が設けられ、該送風手段は前記開口部近傍又は前記ヒートシンクに向けて送風することを特徴とする請求項１乃至４のいずれか１項に記載の監視装置。
【請求項６】
前記撮影装置と前記ハウジングとの間に、前記撮影装置と前記ハウジングを連結する連結部材を配置し、該連結部材には開口部Ｂが設けられ、前記開口部Ａと該開口部Ｂは連通していることを特徴とする請求項１乃至５のいずれか１項に記載の監視装置。
【請求項７】
前記撮影装置の前記開口部に面する外装部は、屋外用防食処理が施されていることを特徴とする請求項１乃至６のいずれか１項に記載の監視装置。
【請求項８】
前記ハウジングは、少なくともパンおよびチルト旋回することを特徴とする請求項１乃至７のいずれか１項に記載の監視装置。
【請求項９】
前記ハウジングは密閉筺体であることを特徴とする請求項１乃至８のいずれか１項に記載の監視装置。
【発明の詳細な説明】
【技術分野】
【０００１】
本発明は、ハウジングにカメラとレンズを収納する撮影装置に関し、特に監視装置に関するものである。
【背景技術】
【０００２】
従来、カメラをハウジングに収納する監視装置は、防水目的のためにハウジングが密閉構造となっている。その為、カメラの発熱や直射日光の影響によってハウジング内部の温度が上昇して外気よりも高くなることより、カメラの保証温度を超えないよう、配慮する必要がある。
【０００３】
例えば特許文献１では、カメラから発生する熱を低温に維持するために、ハウジング内部にファンを設置し、空気を対流させて内部循環させる監視装置が開示されている。
【先行技術文献】
【特許文献】
【０００４】
【特許文献１】特開２００８−２８５９７号公報
【発明の概要】
【発明が解決しようとする課題】
【０００５】
しかしながら、上述の特許文献に開示された従来技術では、カメラ外装面から外気に至るまでに複数の部品を経由していることから熱抵抗が大きく、カメラから発生する熱を効率良く外気に放熱できていない。昨今のカメラの高性能化に伴って、カメラから発生する熱は益々増大する傾向にあり、従来技術では放熱効果が不十分である、という課題があった。
【０００６】
そこで本発明の目的は、カメラから外気への熱抵抗を小さくして、十分な放熱効果を得ることを可能とした監視装置を提供することである。
【課題を解決するための手段】
【０００７】
上記目的を達成するために、本発明は、撮影装置と、該撮影装置を収納するハウジングとを有する監視装置であって、該ハウジングには内部と外部を連通する開口部Ａが設けられ、該撮影装置の外装部を利用して、該開口部Ａを塞ぐことを特徴とする。
【発明の効果】
【０００８】
本発明によれば、カメラから外気への熱抵抗を小さくして、十分な放熱効果を得ることを可能とした監視装置を提供することができる。
【図面の簡単な説明】
【０００９】
【図１】実施例１における監視装置の概要を示す図。
【図２】実施例１における監視装置から連結部材を取り外した時を示す図。
【図３】実施例２におけるカメラにヒートシンクを連結した時を示す図。
【図４】実施例２におけるカメラ底面部に長穴を設けた時を示す図。
【図５】実施例３における開口部近傍にファンを配置した時を示す図。
【図６】実施例４におけるカメラに熱伝導部材を配置した時を示す図。
【発明を実施するための形態】
【００１０】
以下に、本発明の好ましい実施形態を、添付の図面に基づいて詳細に説明する。図１は、本発明の実施形態にかかわる監視装置を示す図である。
【００１１】
［実施例１］
以下、図１と図２を用いて、本発明の第１の実施例について説明する。図１は実施例１における監視装置１の概要を示す図である。監視装置１は主にハウジング２とヘッド３と台座４と撮影装置６０で構成される。ハウジング２は、端面に保護ガラス５を配置して、レンズ６とカメラ７を含む撮影装置６０と、基板８を収納する。基板８は、撮影装置６０と電気的に接続されており、不図示の遠隔操作装置の指令信号に基づきレンズ６とカメラ７を制御する。
【００１２】
ヘッド３には、パンニング及びチルティングを各々駆動する不図示の駆動部が設けられ、監視装置１は、回転中心３aを軸にしてパンニングし、回転中心３bを軸にしてチルティングする。ハウジング底面部２aには、ハウジング２の内部と外部を連通する開口部２bが設けられる。またカメラ底面部７aとハウジング底面部２aとの間には、連結部材９が設けられる。連結部材９には、開口部９aが設けられる。
【００１３】
連結部材９とハウジング２は、締結部材１０により連結され、接触面にはОリング又はシート状の弾性部材である防水部材１１が開口部２bを囲むように設けられる。連結部材９とカメラ７は、締結部材１２により連結され、接触面には防水部材１３が開口部９aを囲むように設けられる。連結部材９は、ハウジング２とカメラ７との間に介在することで、取付アダプターの役割を果たしており、例えば連結部材９に予め複数の種類のカメラに対応する取付穴を用意していれば、カメラが変更されてもハウジング２を共通使用できるというメリットがある。
【００１４】
カメラ７は、カメラ底面部７aで開口部２bと開口部９aを塞ぐようにハウジング２に連結され、カメラ底面部７aが開口部２bと開口部９aを通じて外気に露出した状態で、ハウジング２は密閉筺体となる。この時、外気へ露出するカメラ底面部７aは、塗装やメッキ等の表面処理が施され、腐食対策が行われている。これよりカメラ７から発生した熱は外気に露出したカメラ底面部７aを通じて開口部２bから直接外気へ放熱されることとなる。
【００１５】
以上の構成より、カメラ７は効率良く外気へ放熱することが可能となる。またファン等の放熱のための専用部品を設けていないため、消費電力の増大や装置の大型化も抑制できる。
【００１６】
また図２に示すように、連結部材９を構成から外し、ハウジング２０にカメラ２１を、締結部材２２によって直接締結してもよい。その場合、カメラ２１にОリングである防水部材２３を嵌め込む溝２１bを設けているが、ハウジング２０にОリングを嵌め込む溝を設けてもよい。
【００１７】
［実施例２］
図３と図４を用いて、本発明の第２の実施例について説明する。上述した実施例１と同じ部分は説明を省略する。
【００１８】
図３より、カメラ底面部７aに、締結部材３１によってヒートシンク３０を連結する。これによりカメラ７の外装面の表面積が増大し、カメラ底面部７aを直接外気に露出させるより、大きな放熱効果が得られる。ここでカメラ底面部７aとヒートシンク３０の間には、熱伝導性が高いシートの配置やグリスの塗布をしてもよい。
【００１９】
尚、ヒートシンク３０とカメラ７は一体化してもよい。例えば、図４に示すように、カメラ底面部７aに長穴形状の開口部７cを設けて、外装面の表面積を増やすことで、カメラ底面部７aと外部間の熱伝達が高まり、更なる放熱効果が得られる。尚、実施例１同様、連結部材９は構成せず、カメラ７をハウジング２に直接取付けてもよい。
【００２０】
［実施例３］
図５を用いて、本発明の第３の実施例について説明する。上述した実施例１と同じ部分は説明を省略する。
【００２１】
開口部２b近傍にファン４０等の送風手段を設ける。ファン４０は、基板４１と電気的に接続されており、基板４１からの制御指令と電力供給により、ハウジング２の内部よりも温度の低い外気を直接カメラ底面部７aに向けて吹きつける。またファン４０は、ファン取付部材４２に不図示の締結部材で連結されており、ファン取付部材４２は、ハウジング４３に締結部材４４で連結される。
【００２２】
これによりカメラ底面部７aに送風されることで、カメラ底面部７aと外気間の熱伝達率が高まり、カメラ７の熱を放熱しやすくなる。尚、実施例１同様、連結部材９は構成せず、カメラ７をハウジング４３に直接取付けてもよい。
【００２３】
［実施例４］
図６を用いて、本発明の第４の実施例について説明する。上述した実施例１と同じ部分は説明を省略する。
【００２４】
カメラ５０の筺体内部にある撮像素子等の発熱源５０aの熱をカメラ底面部５０bへ熱輸送する為に、発熱源５０aとカメラ底面部５０bとの間を、熱伝導部材５０cで連結する。熱伝導部材５０cは、ヒートパイプや、アルミ又は銅素材の板金部材等である。実施例４の効果として、熱伝導部材５０cでカメラ底面部５０bへ放熱することで、カメラ底面部５０bと外気との温度差が大きくなり、外気への熱輸送量が大きくなり、カメラ５０の熱を放熱しやすくなる。
【００２５】
尚、実施例１同様、連結部材９は構成せず、カメラ５０をハウジング２に直接取付けてもよい。尚、上述ではハウジング２は、開口部２bをカメラ底面部７aで塞ぐことで密閉筺体であることを示したが、ハウジング２に通風口を設けてハウジング２内の空気を外気と循環させてもよい。またハウジング２の内部に、送風手段を設けていなかったが、内部循環または外気への排気用の送風手段を設けてもよい。
【００２６】
以上、本発明の好ましい実施形態について説明したが、本発明はこれらの実施形態に限定されず、その要旨の範囲内で種々の変形及び変更が可能である。
【符号の説明】
【００２７】
１  監視装置
２  ハウジング
２b  開口部
４０  撮影装置
【図１】
2018078458.tif 000003
【図２】
2018078458.tif 000004
【図３】
2018078458.tif 000005
【図４】
2018078458.tif 000006
【図５】
2018078458.tif 000007
【図６】
2018078458.tif 000008